【手続補正書】
【提出日】平成25年5月24日(2013.5.24)
【手続補正１】
【補正対象書類名】特許請求の範囲
【補正対象項目名】全文
【補正方法】変更
【補正の内容】
【特許請求の範囲】
【請求項１】
複数のユーザデバイスにわたってメディアコンテンツ提示をスケジューリングする方法であって、該方法は、
メモリの中の記憶されたユーザプロファイル情報にアクセスすることであって、該記憶されたユーザプロファイル情報は、第１のユーザデバイスおよび第２のユーザデバイスを識別する、ことと、
該ユーザプロファイル情報に少なくとも部分的に基づいて、第１のタイムスロット中に該第１のユーザデバイス上に提示される第１のメディアコンテンツイベントをスケジューリングすることと、
該ユーザプロファイル情報に少なくとも部分的に基づいて、第２のタイムスロット中に該第２のユーザデバイス上に提示される第２のメディアコンテンツイベントをスケジューリングすることと、
該第１のタイムスロット中に該第１のユーザデバイス上に該第１のメディアコンテンツイベントを提示することと、
該第２のタイムスロット中に該第２のユーザデバイス上に該第２のメディアコンテンツイベントを提示することと
を含む、方法。
【請求項２】
前記第１および第２のユーザデバイスのうちの少なくとも１つは、携帯用メディアプレーヤである、請求項１に記載の方法。
【請求項３】
記憶されたユーザプロファイル情報にアクセスすることは、自動的に生成されたユーザプロファイル情報にアクセスすることを含む、請求項１に記載の方法。
【請求項４】
前記自動的に生成されたユーザプロファイル情報は、前記第１のユーザデバイスおよび前記第２のユーザデバイスのうちの少なくとも１つとのユーザの対話を監視することに少なくとも部分的に基づいている、請求項３に記載の方法。
【請求項５】
前記ユーザプロファイル情報は、デバイス可用性サブプロファイル、デバイス接続性サブプロファイル、およびデバイス利用サブプロファイルのうちの少なくとも１つを含む、請求項１に記載の方法。
【請求項６】
前記デバイス可用性サブプロファイル、前記デバイス接続性サブプロファイル、および前記デバイス利用サブプロファイルのうちの少なくとも１つに基づいて、メディアコンテンツイベント推奨を提供することをさらに含む、請求項５に記載の方法。
【請求項７】
前記第１のユーザデバイスが接続されるときを決定することと、
該決定することに少なくとも部分的に基づいて、該第１のユーザデバイスへの前記第１のメディアコンテンツイベントの送達をスケジューリングすることと
をさらに含む、請求項１に記載の方法。
【請求項８】
前記第１および第２のユーザデバイスのうちの１つとのユーザの対話に基づいて、前記記憶されたユーザプロファイル情報を更新することをさらに含む、請求項１に記載の方法。
【請求項９】
自動的に監視されたユーザの習慣、選好、または対話に基づいて、前記記憶されたユーザプロファイル情報を更新することをさらに含む、請求項１に記載の方法。
【請求項１０】
前記第１のユーザデバイスによってサポートされる少なくとも１つのメディアコンテンツ形式を決定することと、
前記第１のメディアコンテンツイベントと関連付けられる前記第１のメディアコンテンツが、該少なくとも１つのサポートされたメディアコンテンツ形式であるか否かを決定することと、
該第１のメディアコンテンツが該少なくとも１つのサポートされたメディアコンテンツ形式ではないという決定に応じて、該少なくとも１つのサポートされたメディアコンテンツ形式の該第１のメディアコンテンツの代替バージョンを検索することと、
該第１のメディアコンテンツの代替バージョンを見つけることができないという決定に応じて、該第１のメディアコンテンツを該少なくとも１つのサポートされたメディアコンテンツ形式のうちの１つにトランスコードすることと
をさらに含む、請求項１に記載の方法。
【請求項１１】
複数のユーザデバイスにわたってメディアコンテンツ提示をスケジューリングするシステムであって、該システムは、
ユーザプロファイル情報を記憶する手段と、
記憶されたユーザプロファイル情報にアクセスする手段であって、該記憶されたユーザプロファイル情報は、第１のユーザデバイスおよび第２のユーザデバイスを識別する、手段と、
該ユーザプロファイル情報に少なくとも部分的に基づいて、第１のタイムスロット中に該第１のユーザデバイス上に提示される第１のメディアコンテンツイベントをスケジューリングする手段と、
該ユーザプロファイル情報に少なくとも部分的に基づいて、第２のタイムスロット中に該第２のユーザデバイス上に提示される第２のメディアコンテンツイベントをスケジューリングする手段と、
該第１のタイムスロット中に該第１のユーザデバイス上に該第１のメディアコンテンツイベントを提示する手段と、
該第２のタイムスロット中に該第２のユーザデバイス上に該第２のメディアコンテンツイベントを提示する手段と
を備える、システム。
【請求項１２】
前記第１および第２のユーザデバイスのうちの少なくとも１つは、携帯用メディアプレーヤである、請求項１１に記載のシステム。
【請求項１３】
記憶されたユーザプロファイル情報にアクセスすることは、自動的に生成されたユーザプロファイル情報にアクセスすることを含む、請求項１１に記載のシステム。
【請求項１４】
前記自動的に生成されたユーザプロファイル情報は、前記第１のユーザデバイスおよび前記第２のユーザデバイスのうちの少なくとも１つとのユーザの対話を監視することに少なくとも部分的に基づいている、請求項１３に記載のシステム。
【請求項１５】
前記ユーザプロファイル情報は、デバイス可用性サブプロファイル、デバイス接続性サブプロファイル、およびデバイス利用サブプロファイルのうちの少なくとも１つを含む、請求項１１に記載のシステム。
【請求項１６】
前記デバイス可用性サブプロファイル、前記デバイス接続性サブプロファイル、および前記デバイス利用サブプロファイルのうちの少なくとも１つに基づいて、メディアコンテンツイベント推奨を提供する手段をさらに備える、請求項１５に記載のシステム。
【請求項１７】
前記第１のユーザデバイスが接続されるときを決定する手段と、
該決定することに少なくとも部分的に基づいて、該第１のユーザデバイスへの前記第１のメディアコンテンツイベントの送達をスケジューリングする手段と
をさらに備える、請求項１１に記載のシステム。
【請求項１８】
前記第１および第２のユーザデバイスのうちの１つとのユーザ対話に基づいて、前記記憶されたユーザプロファイル情報を更新する手段をさらに備える、請求項１１に記載のシステム。
【請求項１９】
ユーザの習慣、選好、または対話を自動的に監視することに基づいて、前記記憶されたユーザプロファイル情報を更新する手段をさらに備える、請求項１１に記載のシステム。
【請求項２０】
前記第１のユーザデバイスによってサポートされる少なくとも１つのメディアコンテンツ形式を決定する手段と、
前記第１のメディアコンテンツイベントと関連付けられる前記第１のメディアコンテンツが、該少なくとも１つのサポートされたメディアコンテンツ形式であるか否かを決定する手段と、
該第１のメディアコンテンツが該少なくとも１つのサポートされたメディアコンテンツ形式ではないという決定に応じて、該少なくとも１つのサポートされたメディアコンテンツ形式の該第１のメディアコンテンツの代替バージョンを検索する手段と、
該第１のメディアコンテンツの代替バージョンを見つけられることができないという決定に応じて、該第１のメディアコンテンツを該少なくとも１つのサポートされたメディアコンテンツ形式のうちの１つにトランスコードする手段と
をさらに備える、請求項１１に記載のシステム。
【手続補正２】
【補正対象書類名】明細書
【補正対象項目名】００１２
【補正方法】変更
【補正の内容】
【００１２】
いくつかの実施形態によれば、処理回路はさらに、外部の非ユーザソースに少なくとも部分的に基づいて、メディアコンテンツイベント推奨リストを生成するように構成されてもよい。ある実施形態では、外部の非ユーザソースは、ウェブログ、オンラインフォーラム、ニュースウェブサイト、レビューウェブサイト、および／またはソーシャルネットワーキングウェブサイトを含んでもよい。上記の実施形態のうちのいくつかでは、第１のメディアコンテンツイベントは、ビデオメディアコンテンツイベントであってもよく、第２のメディアコンテンツイベントは、非ビデオメディアコンテンツイベントであってもよい。いくつかの実施形態では、方法はさらに、ユーザプロファイル情報に基づいて広告を提示し、第１および第２のユーザデバイスのうちの少なくとも１つとのユーザ対話に基づいて、記憶されたユーザプロファイル情報を更新し、および／またはユーザ習慣、選好、および／または対話を自動的に監視することに基づいて、記憶されたユーザプロファイル情報を更新するステップを含んでもよく、または処理回路は、そのように構成されてもよい。
本願明細書は、例えば、以下の項目も提供する。
（項目１）
複数のユーザデバイスにわたってメディアコンテンツ提示をスケジューリングする方法であって、
メモリの中の記憶されたユーザプロファイル情報にアクセスすることであって、該記憶されたユーザプロファイル情報は、第１のユーザデバイスおよび該第１のユーザデバイスとは異なる第２のユーザデバイスを識別する、ことと、
該ユーザプロファイル情報に少なくとも部分的に基づいて、第１のタイムスロット中に該第１のユーザデバイス上に提示される第１のメディアコンテンツイベントをスケジューリングすることと、
該ユーザプロファイル情報に少なくとも部分的に基づいて、第２のタイムスロット中に該第２のユーザデバイス上に提示される第２のメディアコンテンツイベントをスケジューリングすることと、
該第１のタイムスロット中に該第１のユーザデバイス上に該第１のメディアコンテンツイベントを提示することと、
該第２のタイムスロット中に該第２のユーザデバイス上に該第２のメディアコンテンツイベントを提示することと
を含む、方法。
（項目２）
前記第１および第２のユーザデバイスのうちの少なくとも１つは、携帯用メディアプレーヤである、項目１に記載の方法。
（項目３）
記憶されたユーザプロファイル情報にアクセスすることは、自動的に生成されたユーザプロファイル情報にアクセスすることを含む、項目１に記載の方法。
（項目４）
前記自動的に生成されたユーザプロファイル情報は、前記第１のユーザデバイスおよび前記第２のユーザデバイスのうちの少なくとも１つとのユーザの対話を監視することに少なくとも部分的に基づいている、項目３に記載の方法。
（項目５）
前記ユーザプロファイル情報は、デバイス可用性サブプロファイル、デバイス接続性サブプロファイル、およびデバイス利用サブプロファイルのうちの少なくとも１つを含む、項目１に記載の方法。
（項目６）
前記デバイス可用性サブプロファイル、前記デバイス接続性サブプロファイル、および前記デバイス利用サブプロファイルのうちの少なくとも１つに基づいて、メディアコンテンツイベント推奨を提供することをさらに含む、項目５に記載の方法。
（項目７）
前記第１のユーザデバイスが接続されるときを決定することと、
該決定することに少なくとも部分的に基づいて、該第１のユーザデバイスへの前記第１のメディアコンテンツイベントの送達をスケジューリングすることと
をさらに含む、項目１に記載の方法。
（項目８）
前記第１のユーザデバイスおよび前記第２のユーザデバイスの外部の少なくとも１つのメディアソースに少なくとも部分的に基づいて、メディアコンテンツイベント推奨リストを生成することをさらに含む、項目１に記載の方法。
（項目９）
前記少なくとも１つのメディアソースは、ウェブログ、オンラインフォーラム、ニュースウェブサイト、レビューウェブサイト、およびソーシャルネットワーキングウェブサイトのうちの少なくとも１つを備える、項目８に記載の方法。
（項目１０）
前記第１のメディアコンテンツイベントは、ビデオメディアコンテンツイベントであり、前記第２のメディアコンテンツイベントは、非ビデオメディアコンテンツイベントである、項目１に記載の方法。
（項目１１）
前記ユーザプロファイル情報に基づいて、前記第１のユーザデバイスおよび前記第２のユーザデバイスのうちの少なくとも１つ上に広告を提示することをさらに含む、項目１に記載の方法。
（項目１２）
前記第１および第２のユーザデバイスのうちの少なくとも１つとのユーザの対話に基づいて、前記記憶されたユーザプロファイル情報を更新することをさらに含む、項目１に記載の方法。
（項目１３）
自動的に監視されたユーザの習慣、選好、または対話に基づいて、前記記憶されたユーザプロファイル情報を更新することをさらに含む、項目１に記載の方法。
（項目１４）
前記第１のユーザデバイスによってサポートされる少なくとも１つのメディアコンテンツ形式を決定することと、
前記第１のメディアコンテンツイベントと関連付けられる前記第１のメディアコンテンツが、該少なくとも１つのサポートされたメディアコンテンツ形式であるか否かを決定することと、
該第１のメディアコンテンツが該少なくとも１つのサポートされたメディアコンテンツ形式ではないという決定に応じて、該少なくとも１つのサポートされたメディアコンテンツ形式の該第１のメディアコンテンツの代替バージョンを検索することと、
該第１のメディアコンテンツの代替バージョンが見つけることができないという決定に応じて、該第１のメディアコンテンツを該少なくとも１つのサポートされたメディアコンテンツ形式のうちの１つにトランスコードすることと
をさらに含む、項目１に記載の方法。
（項目１５）
ディスプレイを介して、少なくとも１つのユーザがスケジューリングしたイベントおよび少なくとも１つのシステムがスケジューリングしたイベントを含む、スケジューリングされたメディアイベントのリストを表示することと、
該少なくとも１つのユーザがスケジューリングしたイベントおよび該少なくとも１つのシステムがスケジューリングしたイベントのうちの少なくとも１つと関連付けられるスケジュール情報を変更するために、ユーザ入力を受信することと
をさらに含む、項目１に記載の方法。
（項目１６）
前記スケジューリングされたメディアイベントの前記リストは、双方向性である、項目１５に記載の方法。
（項目１７）
スケジュール情報を変更するユーザ入力を受信することは、前記少なくとも１つのユーザがスケジューリングしたイベントおよび前記少なくとも１つのシステムがスケジューリングしたイベントのうちの少なくとも１つと関連付けられるユーザデバイスを、異なるユーザデバイスに変更することを含む、項目１５に記載の方法。
（項目１８）
スケジュール情報を変更するユーザ入力を受信することは、前記少なくとも１つのユーザがスケジューリングしたイベントおよび前記少なくとも１つのシステムがスケジューリングしたイベントのうちの少なくとも１つと関連付けられるメディアコンテンツの形式を変更することを含む、項目１５に記載の方法。
（項目１９）
複数のユーザデバイスにわたってメディアコンテンツ提示をスケジューリングするシステムであって、
メモリと、
処理回路であって、
該メモリの中の記憶されたユーザプロファイル情報にアクセスすることであって、該記憶されたユーザプロファイル情報は、第１のユーザデバイス、および該第１のユーザデバイスとは異なる第２のユーザデバイスを識別する、ことと、
該ユーザプロファイル情報に少なくとも部分的に基づいて、第１のタイムスロット中に該第１のユーザデバイス上に提示される第１のメディアコンテンツイベントをスケジューリングすることと、
該ユーザプロファイル情報に少なくとも部分的に基づいて、第２のタイムスロット中に該第２のユーザデバイス上に提示される第２のメディアコンテンツイベントをスケジューリングすることと、
該第１のタイムスロット中に該第１のユーザデバイス上に該第１のメディアコンテンツイベントを提示することと、
該第２のタイムスロット中に該第２のユーザデバイス上に該第２のメディアコンテンツイベントを提示することと
を行うように構成される処理回路と
を備える、システム。
（項目２０）
前記第１および第２のユーザデバイスは、携帯用メディアプレーヤである、項目１９に記載のシステム。
（項目２１）
記憶されたユーザプロファイル情報にアクセスすることは、自動的に生成されたユーザプロファイル情報にアクセスすることを含む、項目１９に記載のシステム。
（項目２２）
前記自動的に生成されたユーザプロファイル情報は、前記第１のユーザデバイスおよび前記第２のユーザデバイスのうちの少なくとも１つとのユーザの対話を監視することに少なくとも部分的に基づいている、項目２１に記載のシステム。
（項目２３）
前記ユーザプロファイル情報は、デバイス可用性サブプロファイル、デバイス接続性サブプロファイル、およびデバイス利用サブプロファイルのうちの少なくとも１つを含む、項目１９に記載のシステム。
（項目２４）
前記処理回路は、前記デバイス可用性サブプロファイル、前記デバイス接続性サブプロファイル、および前記デバイス利用サブプロファイルのうちの少なくとも１つに基づいて、メディアコンテンツイベント推奨を提供するようにさらに構成される、項目２３に記載のシステム。
（項目２５）
前記処理回路は、
前記第１のユーザデバイスが接続されるときを決定することと、
該決定することに少なくとも部分的に基づいて、該第１のユーザデバイスへの前記第１のメディアコンテンツイベントの送達をスケジューリングすることと
を行うようにさらに構成される、項目１９に記載のシステム。
（項目２６）
前記処理回路は、前記第１のユーザデバイスおよび前記第２のユーザデバイスの外部の少なくとも１つのメディアソースに少なくとも部分的に基づいて、メディアコンテンツイベント推奨リストを生成するようにさらに構成される、項目１９に記載のシステム。
（項目２７）
前記少なくとも１つのメディアソースは、ウェブログ、オンラインフォーラム、ニュースウェブサイト、レビューウェブサイト、およびソーシャルネットワーキングウェブサイトのうちの少なくとも１つを備える、項目２６に記載のシステム。
（項目２８）
前記第１のメディアコンテンツイベントは、ビデオメディアコンテンツイベントであり、前記第２のメディアコンテンツイベントは、非ビデオメディアコンテンツイベントである、項目１９に記載のシステム。
（項目２９）
前記処理回路は、前記ユーザプロファイル情報に基づいて、前記第１のユーザデバイスおよび前記第２のユーザデバイスのうちの少なくとも１つの上に広告を提示するようにさらに構成される、項目１９に記載のシステム。
（項目３０）
前記処理回路は、前記第１および第２のユーザデバイスのうちの少なくとも１つとのユーザの対話に基づいて、前記記憶されたユーザプロファイル情報を更新するようにさらに構成される、項目１９に記載のシステム。
（項目３１）
前記処理回路は、ユーザの習慣、選好、または対話を自動的に監視することに基づいて、前記記憶されたユーザプロファイル情報を更新するようにさらに構成される、項目１９に記載のシステム。
（項目３２）
前記処理回路は、
前記第１のユーザデバイスによってサポートされる少なくとも１つのメディアコンテンツ形式を決定することと、
前記第１のメディアコンテンツイベントと関連付けられる前記第１のメディアコンテンツが、該少なくとも１つのサポートされたメディアコンテンツ形式であるか否かを決定することと、
該第１のメディアコンテンツが該少なくとも１つのサポートされたメディアコンテンツ形式ではないという決定に応じて、該少なくとも１つのサポートされたメディアコンテンツ形式の該第１のメディアコンテンツの代替バージョンを検索することと、
該第１のメディアコンテンツの代替バージョンが見つけられることができないという決定に応じて、該第１のメディアコンテンツを該少なくとも１つのサポートされたメディアコンテンツ形式のうちの１つにトランスコードするようにさらに構成される、項目１９に記載のシステム。
（項目３３）
ユーザ入力デバイスをさらに備え、前記処理回路は、
ディスプレイを介して、少なくとも１つのユーザがスケジューリングしたイベントおよび少なくとも１つのシステムがスケジューリングしたイベントを含む、スケジューリングされたメディアイベントのリストを表示することと、
該少なくとも１つのユーザがスケジューリングしたイベントおよび該少なくとも１つのシステムがスケジューリングしたイベントのうちの少なくとも１つと関連付けられるスケジュール情報を変更するために、該ユーザ入力デバイスを介してユーザ入力を受信するようにさらに構成される、項目１９に記載のシステム。
（項目３４）
前記スケジューリングされたメディアイベントの前記リストは、双方向性である、項目３３に記載のシステム。
（項目３５）
スケジュール情報を変更するユーザ入力を受信することは、前記少なくとも１つのユーザがスケジューリングしたイベントおよび前記少なくとも１つのシステムがスケジューリングしたイベントのうちの少なくとも１つと関連付けられるユーザデバイスを、異なるユーザデバイスに変更することを含む、項目３３に記載のシステム。
（項目３６）
スケジュール情報を変更するユーザ入力を受信することは、前記少なくとも１つのユーザがスケジューリングしたイベントおよび前記少なくとも１つのシステムがスケジューリングしたイベントのうちの少なくとも１つと関連付けられるメディアコンテンツの形式を変更することを含む、項目３３に記載のシステム。
（項目３７）
複数のユーザデバイスにわたってメディアコンテンツ提示をスケジューリングするシステムであって、
ユーザプロファイル情報を記憶する手段と、
記憶されたユーザプロファイル情報にアクセスする手段であって、該記憶されたユーザプロファイル情報は、第１のユーザデバイス、および該第１のユーザデバイスとは異なる第２のユーザデバイスを識別する、手段と、
該ユーザプロファイル情報に少なくとも部分的に基づいて、第１のタイムスロット中に該第１のユーザデバイス上に提示される第１のメディアコンテンツイベントをスケジューリングする手段と、
該ユーザプロファイル情報に少なくとも部分的に基づいて、第２のタイムスロット中に該第２のユーザデバイス上に提示される第２のメディアコンテンツイベントをスケジューリングする手段と、
該第１のタイムスロット中に該第１のユーザデバイス上に該第１のメディアコンテンツイベントを提示する手段と、
該第２のタイムスロット中に該第２のユーザデバイス上に該第２のメディアコンテンツイベントを提示する手段と
を備える、システム。
（項目３８）
前記第１および第２のユーザデバイスは、携帯用メディアプレーヤである、項目３７に記載のシステム。
（項目３９）
記憶されたユーザプロファイル情報にアクセスすることは、自動的に生成されたユーザプロファイル情報にアクセスすることを含む、項目３７に記載のシステム。
（項目４０）
前記自動的に生成されたユーザプロファイル情報は、前記第１のユーザデバイスおよび前記第２のユーザデバイスのうちの少なくとも１つとのユーザの対話を監視することに少なくとも部分的に基づいている、項目３９に記載のシステム
（項目４１）
前記ユーザプロファイル情報は、デバイス可用性サブプロファイル、デバイス接続性サブプロファイル、およびデバイス利用サブプロファイルのうちの少なくとも１つを含む、項目３７に記載のシステム
（項目４２）
前記デバイス可用性サブプロファイル、前記デバイス接続性サブプロファイル、および前記デバイス利用サブプロファイルのうちの少なくとも１つに基づいて、メディアコンテンツイベント推奨を提供する手段をさらに備える、項目４１に記載のシステム
（項目４３）
前記第１のユーザデバイスが接続されるときを決定する手段と、
該決定することに少なくとも部分的に基づいて、該第１のユーザデバイスへの前記第１のメディアコンテンツイベントの送達をスケジューリングする手段と
を備える、項目３７に記載のシステム。
（項目４４）
前記第１のユーザデバイスおよび前記第２のユーザデバイスの外部の少なくとも１つのメディアソースに少なくとも部分的に基づいて、メディアコンテンツイベント推奨リストを生成する手段をさらに備える、項目３７に記載のシステム
（項目４５）
前記少なくとも１つのメディアソースは、ウェブログ、オンラインフォーラム、ニュースウェブサイト、レビューウェブサイト、およびソーシャルネットワーキングウェブサイトのうちの少なくとも１つを備える、項目４４に記載のシステム
（項目４６）
前記第１のメディアコンテンツイベントは、ビデオメディアコンテンツイベントであり、前記第２のメディアコンテンツイベントは、非ビデオメディアコンテンツイベントである、項目３７に記載のシステム
（項目４７）
前記ユーザプロファイル情報に基づいて、前記第１のユーザデバイスおよび前記第２のユーザデバイスのうちの少なくとも１つの上に広告を提示する手段をさらに備える、項目３７に記載のシステム
（項目４８）
前記第１および第２のユーザデバイスのうちの少なくとも１つとのユーザ対話に基づいて、前記記憶されたユーザプロファイル情報を更新するための手段をさらに備える、項目３７に記載のシステム
（項目４９）
ユーザの習慣、選好、または対話を自動的に監視することに基づいて、前記記憶されたユーザプロファイル情報を更新する手段をさらに備える、項目３７に記載のシステム
（項目５０）
前記第１のユーザデバイスによってサポートされる少なくとも１つのメディアコンテンツ形式を決定する手段と、
前記第１のメディアコンテンツイベントと関連付けられる前記第１のメディアコンテンツが、該少なくとも１つのサポートされたメディアコンテンツ形式であるか否かを決定する手段と、
該第１のメディアコンテンツが該少なくとも１つのサポートされたメディアコンテンツ形式ではないという決定に応じて、該少なくとも１つのサポートされたメディアコンテンツ形式の該第１のメディアコンテンツの代替バージョンを検索する手段と、
該第１のメディアコンテンツの代替バージョンが見つけられることができないという決定に応じて、該第１のメディアコンテンツを該少なくとも１つのサポートされたメディアコンテンツ形式のうちの１つにトランスコードする手段と
をさらに備える、項目３７に記載のシステム。
（項目５１）
少なくとも１つのユーザがスケジューリングしたイベントおよび少なくとも１つのシステムがスケジューリングしたイベントを含む、スケジューリングされたメディアイベントのリストを表示する手段と、
該少なくとも１つのユーザがスケジューリングしたイベントおよび該少なくとも１つのシステムがスケジューリングしたイベントのうちの少なくとも１つと関連付けられるスケジュール情報を変更するために、ユーザ入力を受信する手段と
をさらに備える、項目３７に記載のシステム。
（項目５２）
前記スケジューリングされたメディアイベントの前記リストは、双方向性である、項目５１に記載のシステム。
（項目５３）
スケジュール情報を変更するユーザ入力を受信することは、前記少なくとも１つのユーザがスケジューリングしたイベントおよび前記少なくとも１つのシステムがスケジューリングしたイベントのうちの少なくとも１つと関連付けられるユーザデバイスを、異なるユーザデバイスに変更することを含む、項目５１に記載のシステム。
（項目５４）
スケジュール情報を変更するユーザ入力を受信することは、前記少なくとも１つのユーザがスケジューリングしたイベントおよび前記少なくとも１つのシステムがスケジューリングしたイベントのうちの少なくとも１つと関連付けられるメディアコンテンツの形式を変更することを含む、項目５１に記載のシステム。